(57)【要約】【課題】画面を観察する位置によらずムラのない均一な照明を行うことができる光収束シート、面光源装置、透過型表示装置を提供する。【解決手段】出射側に凸状の単位レンズ１４１を多数並べて形成し、単位レンズ１４１の表面凸形状に沿って光を散乱する散乱層１４２を形成する。散乱層１３２の厚さは、レンズピッチｐの１／１０以上とする。また、ｄ（（ｔ＋ｈ＋ｐ）／φ）＞５０％、ｄ（ｔ／φ）＜５０％を満たすようにする。これにより大きな出射角度で出射する光の散乱される確率が高くしながら、小さな出射角度で出射する光はあまり散乱されずに出射するので、光の収束をより効果的にすることができる。【選択図】図３
2006259125.tif 000002
【特許請求の範囲】
【請求項１】
直下型の面光源装置に設けられ、光源から出射した光を収束させる光収束シートであって、
出射側に凸状の単位レンズを多数並べて形成された出射側レンズ部と、
前記単位レンズの表面凸形状に沿って形成され、光を散乱する散乱層と、
を有する光収束シート。
【請求項２】
請求項１に記載の光収束シートにおいて、
前記散乱層の厚さは、レンズピッチの１／１０以上かつレンズピッチ以下であること、
を特徴とする光収束シート。
【請求項３】
請求項１又は請求項２に記載の光収束シートにおいて、
前記散乱層は、光拡散粒子が混合されることにより光を散乱すること、
を特徴とする光収束シート。
【請求項４】
請求項３に記載の光収束シートにおいて、
前記散乱層に混合される前記光拡散粒子の体積比率をｄ％、前記光拡散粒子の平均粒径をφｍｍ、前記単位レンズの凸形状の頂点付近における前記散乱層の層厚をｔｍｍ、前記単位レンズの並ぶピッチをｐ、前記単位レンズの凸形状の頂点から谷底部までの高さをｈとしたときに、
ｄ（（ｔ＋ｈ＋ｐ）／φ）＞５０％
の関係を満足すること、
を特徴とする光収束シート。
【請求項５】
請求項３又は請求項４に記載の光収束シートにおいて、
前記散乱層に混合される前記光拡散粒子の体積比率をｄ％、前記光拡散粒子の平均粒径をφｍｍ、前記単位レンズの凸形状の頂点付近における前記散乱層の層厚をｔｍｍとしたときに、
ｄ（ｔ／φ）＜５０％
の関係を満足すること、
を特徴とする光収束シート。
【請求項６】
請求項１から請求項５までのいずれか１項に記載の光収束シートにおいて、
前記単位レンズは、長軸がシート面に対して直交して連続する楕円筒の一部、又は、長軸がシート面に対して直交する回転楕円体の一部であること、
を特徴とする光収束シート。
【請求項７】
透過型表示部を背面から照明する面光源装置であって、
複数の光源を並列に並べた光源部と、
請求項１から請求項６までのいずれか１項に記載の光収束シートと、
を備える面光源装置。
【請求項８】
請求項７に記載の面光源装置において、
前記光収束シートは、使用状態における前記透過型表示部の画面の上下方向の光を主に収束すること、
を特徴とする面光源装置。
【請求項９】
請求項８に記載の面光源装置において、
前記光収束シートが光を主に収束する方向と直交する方向で光を主に収束する第２の光収束シートを有すること、
を特徴とする面光源装置。
【請求項１０】
透過型表示部と、
請求項７から請求項９までのいずれか１項に記載の面光源装置と、
を備える透過型表示装置。
【発明の詳細な説明】
【技術分野】
【０００１】
本発明は、液晶表示装置等の照明に用いられる光収束シート、面光源装置、及び、それらを用いた透過型表示装置、に関するものである。
【背景技術】
【０００２】
透過型の液晶ディスプレイ等を背面から照明する面光源として各種方式の面光源装置が提案、実用化している。面光源装置には、主として、面光源でない光源を面光源に変換する方式によりエッジライト型と直下型とがある。
例えば、直下型では、背面より並列の発光管を用いて光を導入するようになっており、発光管とＬＣＤパネル等との距離を適度に空け、その間に拡散板を用い、さらに、光を収束させるシートを複数組み合わせて使用していた。
しかし、このような従来の方式では、必要とする光学シートの枚数が多い割に収束特性が不十分であり、それを補う為にＬＣＤパネルを改良して、斜め方向からの入射光に対しても画質を落とさない構造としていた。
【０００３】
しかし、この方式では、光の利用効率が低下する上、ＬＣＤパネルの構成も複雑となり、コスト増の要因になるという問題があった。
特に、直下型では、発光管に近接した部分であるか否か（発光管に至近の位置であるか、並列に並んだ発光管の間隙部分に至近の位置であるか）によって光強度（輝度）にムラが発生し易い。これを抑えるために発光管とＬＤＣとの間隔を大きく取ってしまうとディスプレイの厚さが厚くなってしまうという問題があった。また、ムラを抑えるために拡散を強くしたり、透過量を制限したりすると、光の使用量が低減してしまうという問題があった。
【０００４】
例えば、特許文献１及び２に記載の面光源装置では、遮光部分（ライティングカーテン，遮光ドット層）を設けることで均一性を維持しているが、この手法では、上述のように光の使用量が減少してしまっていた。
また、両面にレンチキュラーレンズを設けたシートを使用する方式も例えば、特許文献３で報告されているが、これは、２方向の拡散制御を行うための構成で、光を収束する機能はない。従って、発光管との位置関係によってＬＣＤの場所毎に光軸がばらつくことにより、画面を観察する位置によって明るさのムラが発生したりするという問題もあった。
【特許文献１】特開平０５−１１９７０３号公報
【特許文献２】特開平１１−２４２２１９号公報
【特許文献３】特開平０６−３４７６１３号公報
【発明の開示】
【発明が解決しようとする課題】
【０００５】
本発明の課題は、画面を観察する位置によらずムラのない均一な照明を行うことができる光収束シート、面光源装置、透過型表示装置を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、直下型の面光源装置に設けられ、光源から出射した光を収束させる光収束シートであって、出射側に凸状の単位レンズ（１４１，２４１）を多数並べて形成された出射側レンズ部と、前記単位レンズの表面凸形状に沿って形成され、光を散乱する散乱層（１４２，２４２）と、を有する光収束シート（１４，２４）である。
【０００７】
請求項２の発明は、請求項１に記載の光収束シートにおいて、前記散乱層（１４２，２４２）の厚さは、レンズピッチの１／１０以上かつレンズピッチ以下であること、を特徴とする光収束シート（１４，２４）である。
請求項３の発明は、請求項１又は請求項２に記載の光収束シートにおいて、前記散乱層（１４２，２４２）は、光拡散粒子が混合されることにより光を散乱すること、を特徴とする光収束シート（１４，２４）である。
請求項４の発明は、請求項３に記載の光収束シートにおいて、前記散乱層（１４２，２４２）に混合される前記光拡散粒子の体積比率をｄ％、前記光拡散粒子の平均粒径をφｍｍ、前記単位レンズの凸形状の頂点付近における前記散乱層の層厚をｔｍｍ、前記単位レンズの並ぶピッチをｐ、前記単位レンズの凸形状の頂点から谷底部までの高さをｈとしたときに、ｄ（（ｔ＋ｈ＋ｐ）／φ）＞５０％の関係を満足すること、を特徴とする光収束シート（１４，２４）である。
請求項５の発明は、請求項３又は請求項４に記載の光収束シートにおいて、前記散乱層（１４２，２４２）に混合される前記光拡散粒子の体積比率をｄ％、前記光拡散粒子の平均粒径をφｍｍ、前記単位レンズの凸形状の頂点付近における前記散乱層の層厚をｔｍｍとしたときに、ｄ（ｔ／φ）＜５０％の関係を満足すること、を特徴とする光収束シート（１４，２４）である。
請求項６の発明は、請求項１から請求項５までのいずれか１項に記載の光収束シートにおいて、前記単位レンズ（１４１，２４１）は、長軸がシート面に対して直交して連続する楕円筒の一部、又は、長軸がシート面に対して直交する回転楕円体の一部であること、を特徴とする光収束シート（１４，２４）である。
【０００８】
請求項７の発明は、透過型表示部（１１）を背面から照明する面光源装置であって、複数の光源（１３）を並列に並べた光源部（１２，１３）と、請求項１から請求項６までのいずれか１項に記載の光収束シート（１４，２４）と、を備える面光源装置である。
請求項８の発明は、請求項７に記載の面光源装置において、前記光収束シート（１４，２４）は、使用状態における前記透過型表示部（１１）の画面の上下方向の光を主に収束すること、を特徴とする面光源装置である。
請求項９の発明は、請求項８に記載の面光源装置において、前記光収束シート（１４）が光を主に収束する方向と直交する方向で光を主に収束する第２の光収束シート（１５）を有すること、を特徴とする面光源装置である。
【０００９】
請求項１０の発明は、透過型表示部（１１）と、請求項７から請求項９までのいずれか１項に記載の面光源装置と、を備える透過型表示装置（１０，３０）である。
【発明の効果】
【００１０】
本発明によれば、以下の効果を奏することができる。
（１）出射側に凸状の単位レンズを多数並べて形成された出射側レンズ部と、単位レンズの表面凸形状に沿って形成され光を散乱する散乱層とを備えるので、大きな出射角度で出射する光を散乱させることができ、画面を観察する位置によらずムラのない均一な照明を行うことができる。
【００１１】
（２）散乱層の厚さは、レンズピッチの１／１０以上かつレンズピッチ以下であるので、散乱層の効果を十分に得ながら、全反射後屈折して抜ける光の光路中に散乱層を確実に形成することができる。
【００１２】
（３）散乱層は、光拡散粒子が混合されることにより光を散乱するので、散乱度合を簡単かつ自由に調整することができ、単位レンズの形状に合った最適な散乱層を容易に形成することができる。
【００１３】
（４）ｄ（（ｔ＋ｈ＋ｐ）／φ）＞５０％の関係を満足するので、大きな出射角度で出射する光が散乱する確率を高くすることができる。
【００１４】
（５）ｄ（ｔ／φ）＜５０％の関係を満足するので、小さな出射角度で出射する光が散乱する確率を低くすることができる。
【００１５】
（６）単位レンズは、長軸がシート面に対して直交して連続する楕円筒の一部、又は、長軸がシート面に対して直交する回転楕円体の一部であるので、円筒面又は球面に比べて、収束の程度を任意に制御することができる。
【００１６】
（７）光収束シートは、使用状態における透過型表示部の画面の上下方向の光を主に収束するので、垂直方向に広がる光を集めて正面輝度を高めることができる。なお、一般的な表示装置では、垂直視野角よりも水平視野角が広いことが望まれるので、そのような多くの表示装置に好適に用いることができる。
【００１７】
（８）光収束シートが光を主に収束する方向と直交する方向で光を主に収束する第２の光収束シートを有するので、垂直方向及び水平方向の両方向において光を独立して収束することができ、視野角を自由に設定することができる。
【発明を実施するための最良の形態】
【００１８】
ムラのない均一な照明をするという目的を、光学シートの枚数を増加することなく実現した。
【実施例１】
【００１９】
図１は、本発明による透過型表示装置の実施例１を示す図である。
なお、図１を含め、以下に示す各図は、模式的に示した図であり、各部の大きさ、形状は、理解を容易にするために、適宜誇張して示している。
本実施例における透過型表示装置１０は、ＬＣＤパネル１１，反射板１２，発光管１３，光収束シート１４等を備え、ＬＣＤパネル１１に形成される映像情報を反射板１２，発光管１３，光収束シート１４を備える面光源装置により背面から照明する透過型液晶表示装置である。
【００２０】
ＬＣＤパネル１１は、透過型の液晶表示素子により形成された透過型表示部であって、３０インチサイズ、８００×６００ドットの表示を行うことができる。ＬＣＤパネル１１は、発光管１３の長手方向に沿った方向が、水平方向として使用され、発光管１３が並ぶ方向が、垂直方向として使用される。
発光管１３は、バックライトの光源部を形成する冷陰極管の線光源であり、本実施例では、略７５ｍｍ間隔で等間隔に６本が並列に並べられている。
発光管１３の背面には、反射板１２を設けており、その設計により画面各部位への入射光照度を均一に近づけるようにしている。
また、発光管１３とＬＣＤパネル１１との間には、光収束シート１４が設けられている。光収束シート１４を設けることにより、発光管１３に至近の位置であるか否かによる画面上における輝度のムラは、殆ど解消された状態で収束され、ＬＣＤパネル１１へ到達することとなる。
【００２１】
図２は、光収束シート１４を示す斜視図である。
光収束シート１４は、発光管１３から出射した光を収束して出射するシートであり、出射側に凸形状となっている単位レンズ１４１が多数並べられて出射側レンズ部が形成されている。また、単位レンズ１４１の表面形状に沿った特定の範囲には、光を散乱させる作用を有した散乱層１４２が形成されている。
本実施例における光収束シート１４に形成された出射側レンズ部は、連続する楕円筒の一部を平行に多数並べて配置したレンチキュラーレンズである。出射側レンズ部の並ぶ方向は、発光管１３の並ぶ方向と一致している（図１参照）。
【００２２】
図３は、光収束シート１４を図２中に矢印で示したＳ１−Ｓ２断面で切断した断面図である。
出射側レンズ部の単位レンズ１４１は、図３に示した断面において、長半径が０．６ｍｍ、短半径が０．１ｍｍの楕円となっており、その長軸が光収束シート１４のシート面に対して直交し、ピッチｐ＝０．１ｍｍとなるように配置されている。また、光収束シート１４の厚さは、２ｍｍである。
単位レンズ１４１の観察側の表層内側部分には、散乱層１４２が単位レンズ１４１の凸形状に沿って形成されている。散乱層１４２は、単位レンズ１４１の頂部付近の層厚ｔ＝０．０３ｍｍ，単位レンズ１４１の頂部から単位レンズ１４１の谷底部分までの高さｈ＝０．０８ｍｍとなっている。なお、散乱層１４２の層厚ｔは、単位レンズ１４１の並ぶピッチｐ（本実施例ではｐ＝０．１ｍｍ）の１／１０以上あることが望ましい。なお、この理由については、後述する。散乱層１４２の内部には、平均粒径φ＝１００ｎｍ（０．１μｍ）の酸化チタンが光拡散粒子として混合されており、その混合割合を示す体積比率ｄ＝０．１％となっている。
【００２３】
図４は、光収束シート１４に対して発光管側から入射角度０°で入射する光の進み方を示す図である。
図５は、光収束シート１４に対して発光管側から入射角度２５°で入射する光の進み方を示す図である。
図６は、光収束シート１４に対して発光管側から入射角度６０°で入射する光の進み方を示す図である。
なお、図４，５，６には、散乱層１４２の散乱作用については、反映させていない。
【００２４】
図４〜図６を比較してみると、大きな出射角度で出射する光の多くは、単位レンズ１４１の表面形状に沿って進んでいる。一方、小さな出射角度で出射する光については、単位レンズ１４１の表面形状に沿って進んでいる光は少ない。そこで、散乱層１４２を単位レンズ１４１の表面形状に沿って設けることにより、大きな出射角度で出射する光については、散乱層１４２を通過する距離が長くなり、多く散乱させられる。したがって、散乱層１４２がない場合に大きな出射角度で出射していた光の一部は、小さな出射角度に修正されて出射し、また他の光の一部は、光源側に戻されて再利用され、大きな出射角度で出射してしまう光は、ごく僅かとすることができる。
一方、散乱層１４２がない場合に小さな出射角度で出射する光については、散乱層１４２を通過する距離が短いので、散乱させられる割合が少なく、その大部分が小さい出射角度で出射することができる。
【００２５】
ここで、散乱層１４２が出射角度を制御する作用を十分に発揮するためには、光拡散粒子の体積比率をｄ％、光拡散粒子の平均粒径をφｍｍ、単位レンズの凸形状の頂点付近における散乱層の層厚をｔｍｍ、単位レンズの並ぶピッチをｐ、単位レンズの凸形状の頂点から谷底部までの高さをｈとして、以下の式（１）を満足することが望ましい。
ｄ（（ｔ＋ｈ＋ｐ）／φ）＞５０％・・・式（１）
この式（１）は、散乱層１４２が設けられていない場合に、大きな出射角度で出射することの多い単位レンズ１４１の表面形状に沿って進む光が、少なくとも５０％より高い確率で光拡散粒子に衝突して散乱されることを意味している。なお、大きな出射角度で出射してしまう光を減らすという観点からは、式（１）の左辺は、５０％よりも大きくするとよく、この左辺の値が大きければ大きいほど望ましいともいえる。しかし、例えば、光拡散粒子の体積比率を高くしすぎてしまい、散乱層を通過する殆どの光が必ず拡散してしまうようにしてしまうと、本来小さな出射角度で出射する光についてもその多くが拡散してしまい、結果として単なる拡散板を光収束シート１４の出射側に配置したものと変わらなくなってしまう。
【００２６】
そこで、本来小さな出射角度で出射する光を拡散しすぎないように、さらに以下の式（２）に示す条件を満足することが望ましい。
ｄ（ｔ／φ）＜５０％・・・式（２）
この式（２）は、散乱層１４２が設けられていない場合に、小さな出射角度で出射することの多い入射角度０°の光が光拡散粒子に衝突して散乱される確率を５０％よりも小さな確率とすることを意味している。
【００２７】
上記式（１），式（２）に対して、本実施例の光収束シート１４の各値（ｔ＝０．０３ｍｍ，ｈ＝０．０８ｍｍ，ｄ＝０．１％，ｐ＝０．１ｍｍ，φ＝１００ｎｍ＝０．０００１ｍｍ）を当てはめると、以下のように式（１），式（２）を満足している。
（式（１）について）
ｄ（（ｔ＋ｈ＋ｐ）／φ）＞５０％
０．１×（（０．０３＋０．０８＋０．１）／０．０００１）＞５０％
２１０％＞５０％
（式（２）について）
ｄ（ｔ／φ）＜５０％・・・式（２）
０．１×（０．０３／０．０００１）＜５０％
３０％＜５０％
【００２８】
さらに、先に示したように、散乱層１４２の層厚ｔは、単位レンズ１４１の並ぶピッチｐ（本実施例ではｐ＝０．１ｍｍ）の１／１０以上かつピッチｐ以下あることが、望ましい。この理由は、層厚ｔが厚すぎると散乱層１４２を設けた効果が少なくなり、薄すぎると全反射後屈折して抜ける光が通る位置をカバーすることができなくなる上に、生産も困難になるからである。
【００２９】
図７は、各種光学シートを単独で面光源装置に使用した場合の垂直方向における輝度分布を示す図である。なお、図７のグラフは、ＬＣＤパネル１１を配置する前の状態において光収束シート１４の部分に各種光学シートを単独で使用して測定した結果を示している。
曲線Ａは、光拡散シートの場合を示し、曲線Ｂは、光収束シート１４の場合を示し、曲線Ｃは、比較例の場合を示し、曲線Ｄは、光収束シート１４と同一形状であって散乱層と同じような散乱効果をシート全体に設けたシートの例を示している。なお、比較例には、出射側に頂角９０度のプリズム形状を多数配置した光収束効果を有する光学シートであるＢＥＦ（住友スリーエム株式会社製）を用意した。
【００３０】
曲線Ａの光拡散シートの場合には、全方向に一様に光を強く拡散しているので、不要な角度方向にも多くの光が出射しており、したがって必要な範囲の輝度も低くなってしまっている。
曲線Ｂの実施例１の場合には、上述のように、式（１），式（２）の双方を満足していることから、大きな出射角度で出射してしまう光もなく半値角３５°に光を収束させることができると共に、発光管１３による輝度ムラも確認されなかった。また、曲線Ｄの散乱効果をシート全体に設けたシートと比較すると、正面輝度が５％程上昇している。
曲線Ｃの比較例の光学シートを本実施例の光収束シート１４の代わりに単独で使用した場合には、半値角が４０°であり、６０°以上の出射角度で出射する無駄な光が確認された。
【００３１】
このように実施例１によれば、散乱層１４２を設けたので、必要な範囲のみに光を収束させることができ、輝度が高く、かつ輝度ムラのない照明光とすることができる。
【実施例２】
【００３２】
図８は、本発明による光収束シートの実施例２を示す図である。
実施例２は、実施例１における光収束シート１４の形状を改良した光収束シート２４を用いている他は、実施例１と同様な透過型表示装置である。したがって、前述した実施例１と同様の機能を果たす部分の重複する説明を適宜省略する。
光収束シート２４は、発光管１３から出射した光を収束して出射するシートであり、出射側に凸形状となっている単位レンズ２４１が多数並べられて出射側レンズ部が形成されている。また、単位レンズ２４１の表面形状に沿った特定の範囲には、光を散乱させる作用を有した散乱層２４２が形成されている。
本実施例における光収束シート２４に形成された出射側レンズ部は、連続する楕円筒の一部を平行に多数並べて配置したレンチキュラーレンズである。出射側レンズ部の並ぶ方向は、発光管１３の並ぶ方向と一致している。
【００３３】
出射側レンズ部の単位レンズ２４１は、図８に示した断面において、長半径が０．６ｍｍ、短半径が０．１ｍｍの楕円となっており、その長軸が光収束シート２４のシート面に対して直交し、ピッチｐ＝０．１２ｍｍとなるように配置されている。また、光収束シート１４の厚さは、２ｍｍである。さらに、隣接する単位レンズ２４１の間には、平端部２４３が幅０．０２ｍｍで形成されている。
単位レンズ２４１の観察側の表層内側部分には、散乱層２４２が単位レンズ２４１の凸形状に沿って形成されている。散乱層２４２は、単位レンズ２４１の頂部付近の層厚ｔ＝０．０３ｍｍ，単位レンズ２４１の頂部から平端部２４３までの高さｈ＝０．０８ｍｍである。散乱層２４２の内部には、平均粒径φ＝１００ｎｍ（０．１μｍ）の酸化チタンが光拡散粒子として混合されており、その混合割合を示す体積比率ｄ＝０．０７％となっている。
【００３４】
実施例２においても、実施例１に示した式（１），式（２）に対して、光収束シート２４の各値（ｔ＝０．０３ｍｍ，ｈ＝０．０８ｍｍ，ｄ＝０．０７％，ｐ＝０．１２ｍｍ，φ＝１００ｎｍ＝０．０００１ｍｍ）を当てはめると、以下のように式（１），式（２）を満足している。
（式（１）について）
ｄ（（ｔ＋ｈ＋ｐ）／φ）＞５０％
０．０７×（（０．０３＋０．０８＋０．１２）／０．０００１）＞５０％
１６１％＞５０％
（式（２）について）
ｄ（ｔ／φ）＜５０％・・・式（２）
０．０７×（０．０３／０．０００１）＜５０％
２１％＜５０％
【００３５】
実施例２の光収束シート２４についても、実施例１と同様に輝度分布を調べたので、その結果を図７中の曲線Ｅに示した。曲線Ｅの実施例２の場合には、上述のように、式（１），式（２）の双方を満足していることから、ＬＣＤパネル１１を配置する前の状態において光収束シート２４を単独で使用すると、大きな出射角度で出射してしまう光もなく半値角３０°に光を収束させることができると共に、発光管１３による輝度ムラも確認されなかった。また、法線方向の輝度も実施例１の場合よりもさらに高くなっている。なお、半値角が実施例１の場合よりもさらに狭くなり、法線方向の輝度も高くなったのは、平端部２４３を設けたことにより、法線方向にそのまま出射する光が多くなったことによる。なお、この平端部２４３から大きな角度で出射する光があったとしても、そのような光は、単位レンズ２４２に再入射し、散乱層２４２により散乱されることになる。
実施例２によれば、実施例１よりもさらに光を収束させることができる。
【００３６】
（変形例）
以上説明した実施例に限定されることなく、種々の変形や変更が可能であって、それらも本発明の均等の範囲内である。
（１）各実施例において、光収束シートを単独で使用する例を示したが、これに限らず、例えば、光収束シートが光を制御する主な方向と直交する方向において光を制御する第２の光収束シートを追加してもよい。図９は、光収束シート１４が光を制御する主な方向と直交する方向において光を制御する第２の光収束シート１５を追加した変形例を示す図である。なお、この図９に示した例では、第２の光収束シート１５は、散乱層を持たない従来からあるレンチキュラーレンズシートとしているが、光収束シート１４と同様な散乱層を有した第２の光収束シートを直交して配置してもよい。このようにすることにより、垂直、水平の両方向において光を収束することができるので、より光を有効に利用することができ、輝度の高い照明光を得ることができる。
【００３７】
（２）各実施例において、散乱層は、単位レンズの観察側の表層内側部分に形成されている例を示したが、これに限らず、単位レンズの観察側の表層外側部分に追加的に形成するようにしてもよい。
【００３８】
（３）各実施例において、単位レンズの形状は、長軸がシート面に対して直交して連続する楕円筒の一部である例を示したが、これに限らず、例えば、長軸がシート面に対して直交する回転楕円体の一部としてもよい。
【図面の簡単な説明】
【００３９】
【図１】本発明による透過型表示装置の実施例１を示す図である。
【図２】光収束シート１４を示す斜視図である。
【図３】光収束シート１４を図２中に矢印で示したＳ１−Ｓ２断面で切断した断面図である。
【図４】光収束シート１４に対して発光管側から入射角度０°で入射する光の進み方を示す図である。
【図５】光収束シート１４に対して発光管側から入射角度２５°で入射する光の進み方を示す図である。
【図６】光収束シート１４に対して発光管側から入射角度６０°で入射する光の進み方を示す図である。
【図７】各種光学シートを単独で面光源装置に使用した場合の垂直方向における輝度分布を示す図である。
【図８】本発明による光収束シートの実施例２を示す図である。
【図９】光収束シート１４が光を制御する主な方向と直交する方向において光を制御する光学シート１５を追加した変形例を示す図である。
【符号の説明】
【００４０】
１０  透過型表示装置
１１  ＬＣＤパネル
１２  反射板
１３  発光管
１４，２４  光収束シート
１４１，２４１  単位レンズ
１４２，２４２  散乱層
【図１】
2006259125.tif 000003
【図２】
2006259125.tif 000004
【図３】
2006259125.tif 000005
【図４】
2006259125.tif 000006
【図５】
2006259125.tif 000007
【図６】
2006259125.tif 000008
【図７】
2006259125.tif 000009
【図８】
2006259125.tif 000010
【図９】
2006259125.tif 000011